(57)【要約】【課題】接地スイッチの接地動作に連動して真空遮断器の本体の引き込み又は引き出しを防止する、真空遮断器の接地スイッチ連動装置を提供する。【解決手段】真空遮断器の接地スイッチ連動装置は、真空遮断器本体の引き込み及び引き出しのための駆動スピンドル２０、駆動スピンドルを回動駆動するための操作ハンドル７０の接続口４０ａが設けられ、操作ハンドルが駆動スピンドルに駆動接続することを許容する操作ハンドル接続許容位置と許容しない操作ハンドル接続不許容位置とに移動可能な移動板４０と、移動板と接続され、移動板を操作ハンドル接続許容位置と操作ハンドル接続不許容位置とに移動させるように移動可能な第１連動板５０と、接地スイッチ８８が接地位置にあるときに第１連動板を操作ハンドル接続不許容位置で拘束する位置と接地スイッチが接地位置にないときに第１連動板の拘束を解放する位置とに移動可能な第２連動板６０とを含む。【選択図】図１
2011135773.tif 000002
【特許請求の範囲】
【請求項１】
接地操作軸の回動力を伝達して三相の接地スイッチを同時に接地位置に駆動する真空遮断器の接地スイッチと連動することのできる、真空遮断器の接地スイッチ連動装置において、
前記真空遮断器の本体の引き込み及び引き出しのための駆動スピンドルと、
前記駆動スピンドルを回動駆動するための操作ハンドルの接続口が設けられ、前記操作ハンドルが前記駆動スピンドルに駆動接続することを許容する操作ハンドル接続許容位置と前記操作ハンドルが前記駆動スピンドルに駆動接続することを許容しない操作ハンドル接続不許容位置とに移動可能な移動板と、
前記移動板と接続され、前記移動板を前記操作ハンドル接続許容位置と前記操作ハンドル接続不許容位置とに移動させるように移動可能な第１連動板と、
前記第１連動板を前記操作ハンドル接続不許容位置で拘束する位置と前記第１連動板の拘束を解放する位置とに移動可能な第２連動板と
を含むことを特徴とする真空遮断器の接地スイッチ連動装置。
【請求項２】
前記操作ハンドル接続許容位置になるように前記移動板を付勢する復帰スプリングをさらに含むことを特徴とする請求項１に記載の真空遮断器の接地スイッチ連動装置。
【請求項３】
前記拘束する位置や前記拘束を解放する位置に移動するときに前記第２連動板が水平に移動するようにガイドするガイド機構をさらに含むことを特徴とする請求項１に記載の真空遮断器の接地スイッチ連動装置。
【請求項４】
前記ガイド機構は、
固定されたガイド突部と、
前記ガイド突部を収容して前記第２連動板の移動を制限するように前記第２連動板に備えられるガイド長孔部と
を含むことを特徴とする請求項３に記載の真空遮断器の接地スイッチ連動装置。
【請求項５】
前記ガイド機構は、
前記第１連動板の移動をガイドするガイドレールと、
前記ガイドレールから延長形成される延長板部と、
前記第２連動板から延長形成され、前記延長板部の表面上をスライドするスライド延長部と
をさらに含むことを特徴とする請求項４に記載の真空遮断器の接地スイッチ連動装置。
【請求項６】
前記第１連動板の後方への移動を制限するためのストッパ手段をさらに含むことを特徴とする請求項１に記載の真空遮断器の接地スイッチ連動装置。
【請求項７】
前記ストッパ手段は、
前記真空遮断器の本体を引き込み位置又は引き出し位置に移送可能に支持する移送台車の前面板中の前記第１連動板が出入りする開口の周辺部と、
前記第１連動板から延長形成され、前記開口の周辺部に係止されて前記第１連動板の移動を制限する係止部と
を含むことを特徴とする請求項６に記載の真空遮断器の接地スイッチ連動装置。
【請求項８】
前記第１連動板を拘束する位置に前記第２連動板を押す位置と前記第２連動板から分離される位置とに移動可能な連動操作機構をさらに含むことを特徴とする請求項１に記載の真空遮断器の接地スイッチ連動装置。
【請求項９】
前記連動操作機構は、
電動又は手動操作で回動可能な操作軸と、
前記操作軸に駆動接続され、前記操作軸の回動力を前記第２連動板を押す直線動力に変換する動力変換機構と
を含むことを特徴とする請求項８に記載の真空遮断器の接地スイッチ連動装置。
【請求項１０】
前記動力変換機構は、
前記操作軸に支持されて前記操作軸の回動により回動可能なレバー板と、
前記レバー板の回動軌跡内に位置し、回動する前記レバー板により押されて回動し、回動によって側方移動する部分を有する連動レバーと
を含むことを特徴とする請求項９に記載の真空遮断器の接地スイッチ連動装置。
【請求項１１】
前記連動操作機構は、
前記操作軸に支持され、前記操作軸の回動位置によって、前記接地操作軸に対する操作ハンドルの接続を許容する位置と前記操作ハンドルの接続を許容しない位置とに回動可能なドア板をさらに含むことを特徴とする請求項９に記載の真空遮断器の接地スイッチ連動装置。
【発明の詳細な説明】
【技術分野】
【０００１】
本発明は、真空遮断器に関し、特に、接地スイッチが接地位置にあるときに真空遮断器の本体の引き込み又は引き出しを防止（禁止）することのできる、真空遮断器の接地スイッチ連動装置に関する。
【背景技術】
【０００２】
通常、真空遮断器は、スイッチギア（配電盤ともいう）の遮断器室に取り付けられ、普段は１次側（受電側）回路と２次側（配電側）回路を接続して正常な電流を通電することにより負荷機器に電源を供給する電力機器である。また、真空遮断器は、短絡電流などの事故電流が発生した場合は回路の電源を遮断することにより線路と負荷機器を保護し、数十キロボルト以上の比較的高電圧又は数千キロボルト以上の超高電圧を取り扱う。
【０００３】
さらに、真空遮断器は、スイッチギアの遮断器室内で遮断器本体を回路に接続する引き込み位置と回路から分離する引き出し位置とに移動可能な構造で構成されている。すなわち、簡便な操作で、真空遮断器のメンテナンスを行うときは遮断器本体を引き出し位置に移動させ、メンテナンスが完了すると遮断器本体を引き込み位置に移動させるように構成されている。このような引出形真空遮断器の引き込み及び引き出しのための詳細な構成及び作用については、本出願人が出願して登録された特許文献１（発明の名称：遮断器の移動ユニット移送装置）を参照されたい。
【０００４】
一方、遮断器本体のメンテナンス時、作業者を感電事故から保護するために、回路の２次側（負荷側）導電部に充電された電流を放電する作業が必ず必要である。充電された電流を放電する技術は、操作者が既存の接地棒を用いて直接三相交流の各相の導電部に充電された電流を放電する過去の技術から、三相の充電電流を同時に放電できる接地スイッチを用いて放電する技術に発展している。よって、接地放電において、メンテナンス時の停電時間を最小限に抑えるとともに、操作者の安全を保障することのできる、接地スイッチを用いた接地放電方法が用いられており、このような技術を適用したスイッチギアの使用比率がますます高くなっている。ここで言及した三相一括自動接地機能を提供する接地スイッチの構成及び作用については、本出願人が出願して登録された特許文献２（発明の名称：多回路遮断器のトグル型接地スイッチ）を参照されたい。
【０００５】
このような構造の適用時に必ず備えるべき機能があるが、それは、回路の２次側充電電流を放電する接地スイッチのオン（ＯＮ）状態（すなわち、接地位置）では遮断器本体を引き込み位置に移動させてオン操作することを防止する機能である。これは、２次側（負荷側）回路が接地された状態で遮断器がオン操作されて回路に電源が印加された場合、直ちに地絡事故につながり、人的、物的に莫大な被害をもたらすからである。よって、接地スイッチのオン状態で遮断器の引き込み位置移動操作が行われることを禁止（防止）する連動装置が必要である。
【先行技術文献】
【特許文献】
【０００６】
【特許文献１】韓国特許登録第１０−０３２４４９２号公報
【特許文献２】韓国特許登録第１０−０５０５０５３号公報
【発明の概要】
【発明が解決しようとする課題】
【０００７】
そこで、本発明の目的は、真空遮断器を内蔵するスイッチギアにおいて、併設される接地スイッチが接地位置にあるときに真空遮断器の本体の引き込み又は引き出しを防止するように、引き込み及び引き出し駆動用スピンドルを駆動操作するハンドルの駆動接続を不可能にする、真空遮断器の接地スイッチ連動装置を提供することにある。
【課題を解決するための手段】
【０００８】
上記の目的を達成するために、本発明は、真空遮断器の本体の引き込み及び引き出しのための駆動スピンドルと、前記駆動スピンドルを回動駆動するための操作ハンドルの接続口が設けられ、前記操作ハンドルが前記駆動スピンドルに駆動接続することを許容する操作ハンドル接続許容位置と前記操作ハンドルが前記駆動スピンドルに駆動接続することを許容しない操作ハンドル接続不許容位置とに移動可能な移動板と、前記移動板と接続され、前記移動板を前記操作ハンドル接続許容位置と前記操作ハンドル接続不許容位置とに移動させるように移動可能な第１連動板と、前記接地スイッチが接地位置にあるときに前記第１連動板を前記操作ハンドル接続不許容位置で拘束する位置と前記接地スイッチが接地位置にないときに前記第１連動板の拘束を解放する位置とに移動可能な第２連動板とを含むことを特徴とする真空遮断器の接地スイッチ連動装置を提供する。
【発明の効果】
【０００９】
本発明による真空遮断器の接地スイッチ連動装置においては、接地スイッチが接地位置にあるときに操作ハンドルの駆動接続を許容しないように、第１及び第２連動板と移動板が操作ハンドルの駆動接続を許容しない位置に移動した位置で保持されるように構成することにより、接地スイッチが接地位置にあるとき、操作ハンドルのスピンドルへの駆動接続自体が不可能であり、遮断器本体の引き込み及び引き出しが根本的に不可能になる。従って、本発明による真空遮断器の接地スイッチ連動装置の提供により、地絡事故の発生を根本的に防止できるという効果が得られる。
【００１０】
本発明による真空遮断器の接地スイッチ連動装置においては、操作ハンドル接続許容位置になるように移動板を付勢する復帰スプリングを設けることにより、接地スイッチが接地位置にないとき、復帰スプリングの付勢力により自動で移動板が操作ハンドルを駆動接続できる位置に復帰するという効果が得られる。
【００１１】
本発明による真空遮断器の接地スイッチ連動装置においては、第１連動板を拘束する位置や拘束を解放する位置に移動するときに第２連動板が水平に移動するようにガイドするガイド機構を含むことにより、第２連動板による第１連動板の拘束又は解放を正確かつ円滑に行えるという効果が得られる。
【００１２】
本発明による真空遮断器の接地スイッチ連動装置においては、前記ガイド機構が、固定されたガイド突部と、前記ガイド突部を収容して前記第２連動板の移動を制限するように前記第２連動板に備えられるガイド長孔部とを含むことにより、ガイド突部及びガイド長孔部という簡単な構成で第２連動板の水平移動をガイドできるという効果が得られる。
【００１３】
本発明による真空遮断器の接地スイッチ連動装置においては、前記ガイド機構として、第１連動板の移動をガイドするガイドレールと、ガイドレールから第２連動板側に延長形成される延長板部と、第２連動板から延長形成されて延長板部の表面上をスライドするスライド延長部とを含むことにより、第１連動板の移動及び第２連動板の移動を円滑に行えるという効果が得られる。
【００１４】
本発明による真空遮断器の接地スイッチ連動装置においては、第１連動板の後方への移動を制限するためのストッパ手段をさらに含むことにより、接地スイッチの接地位置で第２連動板が第１連動板の拘束位置に移動するときに第１連動板の後方端部が当該移動を妨げることを防止できるという効果が得られる。
【００１５】
本発明による真空遮断器の接地スイッチ連動装置においては、前記ストッパ手段が、移送台車の前面板中の第１連動板が出入りする開口の周辺部と、第１連動板から延長形成され、前記開口の周辺部に係止されて前記第１連動板の移動を制限する係止部とを含むことにより、第１連動板の長手方向上の予め定められた位置に形成され、移送台車の開口の幅より長く形成される係止部により、接地スイッチの接地位置で第２連動板が第１連動板の拘束位置に移動するときに第１連動板の後方端部が当該移動を妨げることをより簡単に防止できるという効果が得られる。
【００１６】
本発明による真空遮断器の接地スイッチ連動装置においては、前記第１連動板を拘束する位置に前記第２連動板を押す位置と前記第２連動板から分離される位置とに移動可能な連動操作機構をさらに含むことにより、使用者が手動又は電動力で前記連動操作機構を操作することで前記第２連動板を拘束位置と分離位置とに移動させることができるという効果が得られる。
【００１７】
本発明による真空遮断器の接地スイッチ連動装置においては、前記連動操作機構が、電動又は手動操作で回動可能な操作軸と、前記操作軸の回動力を前記第２連動板を押す直線動力に変換する動力変換機構とを含むことにより、操作軸の回動力を直線動力に変換して第２連動板を押すことで第１連動板を拘束又は解放するように駆動できるという効果が得られる。
【００１８】
本発明による真空遮断器の接地スイッチ連動装置においては、前記動力変換機構が、前記操作軸に支持されて前記操作軸の回動により回動可能なレバー板と、前記レバー板の回動軌跡内に位置し、回動する前記レバー板により押されて回動し、回動によって直線移動する部分を有する連動レバーとを含むことにより、レバー板及び連動レバーという簡単な構成で操作軸の回動力を直線動力に変換できるという効果が得られる。
【００１９】
本発明による真空遮断器の接地スイッチ連動装置においては、前記連動操作機構が、前記操作軸に支持され、前記操作軸の回動位置によって、前記接地操作軸に対する操作ハンドルの接続を許容する位置と前記操作ハンドルの接続を許容しない位置とに回動可能なドア板をさらに含むことにより、遮断器本体を引き込んで回路と接続して閉回路を形成することで電源から負荷に電源を供給する位置、又は引き出し位置のように正常操作及び運用を行う状態では、接地スイッチを接地位置に操作することを許容しないように接地スイッチ操作ハンドルの接近をドア板により遮蔽できるという効果が得られる。
【図面の簡単な説明】
【００２０】
【図１】本発明の好ましい実施形態による真空遮断器の接地スイッチ連動装置の構成を示すものであり、接地スイッチが接地位置にないときに操作ハンドルがスピンドルに接続されていない状態を示す斜視図である。
【図２】本発明の好ましい実施形態による真空遮断器の接地スイッチ連動装置の構成を示すものであり、接地スイッチが接地位置にないときに操作ハンドルがスピンドルに接続されている状態を示す斜視図である。
【図３】本発明の好ましい実施形態による真空遮断器の接地スイッチ連動装置の構成を示すものであり、接地スイッチが接地位置にあるときに操作ハンドルのスピンドルへの接続を試みる状態を示す斜視図である。
【図４】本発明の好ましい実施形態による真空遮断器の接地スイッチ連動装置における接地スイッチと連動操作機構とを含む全体システム構成を示すものであり、連動操作機構が作動中でなく、接地スイッチ操作用ハンドルの接続を行えないようにドア板により操作ハンドル接続口が遮蔽されており、遮断器本体を引き込み位置又は引き出し位置に移送できる状態を示す動作状態斜視図である。
【図５】本発明の好ましい実施形態による真空遮断器の接地スイッチ連動装置における接地スイッチと連動操作機構とを含む全体システム構成を示すものであり、連動操作機構が作動中であり、接地スイッチ操作用ハンドルの接続を行えるようにドア板により操作ハンドル接続口が開放されており、遮断器本体を引き込み位置又は引き出し位置に移送できない状態を示す動作状態斜視図である。
【発明を実施するための形態】
【００２１】
上記の本発明の目的とこれを達成する本発明の構成及び作用効果は、添付の図１〜図５を参照する本発明の好ましい実施形態についての以下の詳細な説明によりさらに明確に理解されるであろう。
【００２２】
本発明の好ましい実施形態による真空遮断器の接地スイッチ連動装置は、図１〜図３に示すように、駆動スピンドル２０、移動板４０、第１連動板５０、及び第２連動板６０を含む。
【００２３】
また、本発明の好ましい実施形態による真空遮断器の接地スイッチ連動装置は、図４及び図５に示すように、連動操作機構（９１、９２、９３、９４、９５、９６、９７）をさらに含んでもよい。
【００２４】
まず、接地スイッチ操作機構の構成を図４及び図５を参照して説明する。
【００２５】
接地スイッチ操作機構は、接地操作軸８１、カム８２、ロッド８３、リンクピン８４、第１アーム８５、主軸８６、第２アーム８７、接地スイッチ８８を含む。接地スイッチ操作機構は、接地スイッチ操作機構に対する使用者のアクセスを可能にするための接地スイッチ操作盤８０をさらに含む。接地スイッチ操作盤８０の前面板からは、接地操作軸８１のハンドル接続端部８１ａが露出する。また、接地スイッチ操作盤８０の前面板には、操作ハンドル（図示せず、図１〜図３における符号７０で示す操作ハンドルを使用してもよい）の接続を可能にするための操作ハンドル接続口８０ａが設けられる。
【００２６】
接地操作軸８１は、接地スイッチ操作盤８０の前面板から露出するハンドル接続端部８１ａから後方に延長される回動軸である。接地操作軸８１のハンドル接続端部８１ａの断面は、操作ハンドルの空回りのない接続のために四角形の断面形状を有する。接地操作軸８１の残りの部分は、円形の金属棒で構成されてもよい。
【００２７】
接地操作軸８１の後端部には、接地操作軸８１の回動運動を直線運動に変換して伝達するカム８２が支持される。カム８２中の接地操作軸８１に支持される部分の反対側端部には、ロッド８３の下端部が接続ピンなどの連結手段により接続される。
【００２８】
ロッド８３は、カム８２の回動によって垂直方向に昇降するように直線運動する。ロッド８３の上端部には、リンクピン８４及び第１アーム８５により主軸８６が接続される。
【００２９】
主軸８６の一端部（図４及び図５での右側端部）には、溶接などの接続方法により、主軸８６と共に回動するように第１アーム８５が接続される。第１アーム８５の端部には、リンクピン８４によりロッド８３が接続される。従って、ロッド８３が昇降することにより、第１アーム８５及び主軸８６は反時計方向又は時計方向に回動する。
【００３０】
主軸８６には、交流三相に対応するように、所定の間隔をおいて３つの第２アーム８７が主軸８６の軸方向に対して直角方向に延設される。
【００３１】
各第２アーム８７には、交流三相に対応するように、３つの接地スイッチ８８がボルト・ナットなどの接続手段により接続される。従って、主軸８６が回動することにより、交流三相に対応する３つの第２アーム８７及び接地スイッチ８８が共に同一方向に回動する。
【００３２】
接地スイッチ８８は、接地部（図示せず）に接続されると回路の負荷側に充電された残留電流を地面に放電する。
【００３３】
次に、連動操作機構（９１、９２、９３、９４、９５、９６、９７）の構成を図４及び図５を参照して説明する。
【００３４】
連動操作機構（９１、９２、９３、９４、９５、９６、９７）は、電動又は手動操作で回動可能な操作軸９３と、操作軸９３に駆動接続されて操作軸９３の回動力を第２連動板６０を押す直線動力に変換する動力変換機構（９４、９５、９６、９７）とを含む。
【００３５】
本発明の好ましい実施形態によれば、操作軸９３は、四角形の断面及び予め定められた長さを有する金属棒で構成される。操作軸９３は、接地スイッチ操作機構の接地操作軸８１と平行に接地スイッチ操作盤８０の後方に延設される。
【００３６】
本発明の好ましい実施形態によれば、連動操作機構（９１、９２、９３、９４、９５、９６、９７）は、連動板操作レバー９１及びドア板９２をさらに含む。
【００３７】
連動板操作レバー９１は、使用者が操作軸９３を手動操作して本発明による真空遮断器の接地スイッチ連動装置を遮断器本体の引き込み又は引き出しを許容する位置又は禁止する位置に操作するための手段である。連動板操作レバー９１は、操作軸９３の前方端部に接続され、使用者が把持して時計方向又は反時計方向に回動操作できるように操作軸９３の軸方向に対して直角方向に予め定められた長さだけ延長されるレバーで構成される。
【００３８】
ドア板９２は、操作軸９３の回動に伴って回動するように溶接又は接続ピンなどの接続手段により操作軸９３に接続される板材で構成される。また、ドア板９２は、接地スイッチ操作盤８０の前面板上の操作ハンドル接続口８０ａとその後方の接地操作軸８１のハンドル接続端部８１ａとの間に位置する。ドア板９２は、操作軸９３に支持され、操作軸９３の回動位置によって、接地操作軸８１に対する操作ハンドルの接続を許容するように操作ハンドル接続口８０ａを開放する位置と、前記操作ハンドルの接続を許容しないように操作ハンドル接続口８０ａを遮蔽する位置とに回動可能である。ドア板９２は、特定の形状に限定されるものではなく、操作軸９３の回動位置によって操作ハンドル接続口８０ａを開放又は遮蔽できるサイズ及び／又は面積を有する板材であればよい。
【００３９】
動力変換機構（９４、９５、９６、９７）は、レバー板９４と連動レバー９６とを含む。動力変換機構（９４、９５、９６、９７）は、支持板９５と回動軸９７とをさらに含んでもよい。
【００４０】
レバー板９４は、操作軸９３に支持されて操作軸９３の回動により回動可能な、例えば金属製板材で構成され、好ましい実施形態によれば、略Ｕ字状の板材で構成される。使用者が接地スイッチ８８を接地位置に操作するために、操作軸９３の連動板操作レバー９１を図の反時計方向に回動操作すると、レバー板９４は垂直方向に直立した状態となる。使用者が接地スイッチ８８を接地位置から非接地位置に回動操作して元の位置にした後、操作軸９３の連動板操作レバー９１を図の時計方向に回動操作してドア板９２が操作ハンドル接続口８０ａを遮蔽する位置に回動すると、レバー板９４は水平方向に横になった状態となる。
【００４１】
連動レバー９６は、レバー板９４の回動軌跡内に位置し、回動するレバー板９４により押されて回動し、回動によって直線移動する部分を有する。より詳細には、連動レバー９６は、略横Ｕ字状の金属板材で構成されてもよく、連動レバー９６の底面（下面）９６ａは、回動するレバー板９４により加圧されて回動駆動力を受ける動力受け面である。連動レバー９６が回動軸９７をピボット軸として回動できるように、連動レバー９６の下部一端部は回動軸９７により支持される。連動レバー９６の上部一側には、連動レバー９６の回動によって図４及び図５において左又は右に斜めに側方移動して第２連動板６０を加圧して押すか又は第２連動板６０から分離されて後退する加圧板部９６ｂを備える。
【００４２】
動力変換機構（９４、９５、９６、９７）に含まれる支持板９５は、回動軸９７により連動レバー９６を回動可能に支持する板材であって、回動軸９７が支持板９５に固定されて支持される。支持板９５には、レバー板９４の回動軌跡上のレバー板９４が直立した状態で接触する位置に第１ストッパ部９５ａが設けられ、レバー板９４が横になった状態で接触する位置に第２ストッパ部９５ｂが設けられる。好ましい実施形態によれば、第１ストッパ部９５ａ及び第２ストッパ部９５ｂは、支持板９５の該当部位を切取及び折曲して形成してもよい。第１ストッパ部９５ａにより、図の反時計方向に回動するレバー板９４は直立した状態で停止するように回動が制限され、第２ストッパ部９５ｂにより、図の時計方向に回動するレバー板９４は横になった状態で停止するように回動が制限される。
【００４３】
以下、本発明の好ましい実施形態による真空遮断器の接地スイッチ連動装置における駆動スピンドル２０、移動板４０、第１連動板５０、及び第２連動板６０の構成を図１〜図３を参照して説明する。
【００４４】
駆動スピンドル２０は、移送台車１０上に載置された真空遮断器の本体（図示せず）を引き込み及び引き出しするためのものであり、後述するナットアセンブリ３０の対応するナットと螺合され、前記ナットを貫通して前記ナットを基準に前進又は後退を行う筒状鋼材からなる棒で構成され、ねじ面が棒の長手方向に沿って大部分の外周面に形成されている。前記真空遮断器の本体は、三相交流の相毎に設けられる真空インタラプタ、当該真空インタラプタの可動接点を開閉駆動する開閉機構（スイッチング機構）、当該開閉機構がトリップ位置に動作するようにトリガするトリップ機構などが内蔵された真空遮断器の主回路部であって、周知のものであり、本発明の要旨を不明にする恐れがあるので、詳細な説明及び図示は省略する。駆動スピンドル２０の後端部には加圧板２１が接続設置され、加圧板２１は、駆動スピンドル２０の前進又は後退に伴って移送台車１０の台車底面１０ｂ上で前進又は後退を行う。ナットアセンブリ３０は、駆動スピンドル２０を空回転させるように前記ナットの外周面から分離される位置と、前記ナットを駆動スピンドル２０と共に回動させるか又は前記ナットを固定するように前記ナットの外周面に接続される位置とを有するクラッチピン及びその復帰スプリングを備える。前記真空遮断器の本体が対応するクレードルの端子に接続される引き込み位置のとき、すなわち駆動スピンドル２０が図１に示す位置から後退して移送台車１０が前進した状態のとき、加圧板２１は、前記クラッチピンを加圧して前記分離される位置に移動させることにより、駆動スピンドル２０を空回転させる。このような駆動スピンドル２０、ナットアセンブリ３０、及び加圧板２１の構成及び作用についてのより詳細な説明及び図示は特許文献１を参照されたい。
【００４５】
移動板４０は、操作ハンドル７０が駆動スピンドル２０に駆動接続することを許容する操作ハンドル接続許容位置と、操作ハンドル７０が駆動スピンドル２０に駆動接続することを許容しない操作ハンドル接続不許容位置とに移動可能である。ここで、操作ハンドル接続許容位置は図２に示すような位置であり、操作ハンドル接続不許容位置は図３に示すような位置である。移動板４０には、駆動スピンドル２０を回動駆動するための操作ハンドル７０の先端部７０ａが接続される接続口４０ａが設けられる。
【００４６】
スイッチギア（配電盤）の前面には、操作ハンドル７０の接続のための接近を可能にし、操作ハンドル７０の前端部を支持する手段であって、前記スイッチギアの前面に固定設置されるガーダアセンブリ１が設けられ、移動板４０は、ガーダアセンブリ１を基準に、ガーダアセンブリ１に接近する位置とガーダアセンブリ１から遠ざかる位置とに移動可能である。
【００４７】
ガーダアセンブリ１は、前記スイッチギアの前面に固定設置されるのに対して、遮断器本体（図示せず）を支持する移送台車１０は、ガーダアセンブリ１に接近する位置とガーダアセンブリ１から遠ざかる位置とに移動可能である。すなわち、移送台車１０のガーダアセンブリ１に接近する位置への移動により、前記遮断器本体は前記スイッチギアの後方に固定されたクレードルの回路接続用端子から分離される引き出し位置となる。あるいは、移送台車１０のガーダアセンブリ１から遠ざかる位置への移動により、前記遮断器本体は前記スイッチギアの後方に固定されたクレードルの回路接続用端子に機械的及び電気的に接続される引き込み位置となる。このような移動のために、移送台車１０は、箱状の本体と、当該本体の両側面上に対で設けられる車輪１０ａとを備える。
【００４８】
第１連動板５０は、移動板４０と接続され、移動板４０を前記操作ハンドル接続許容位置と前記操作ハンドル接続不許容位置とに移動させるように、図３において長さｄ１だけ前後方向に移動可能である。図１〜図３を参照すると、移動板４０の長手方向の一端部（すなわち、図の右側端部）は、接続ねじ４１により第１連動板５０に接続される。移動板４０の長手方向の他端部（すなわち、図の左側端部）は、直角方向に折り曲げられてガーダアセンブリ１を貫通して移送台車１０の内部に延長して接続され、均衡レバー（符号なし）と接続される。移送台車１０の台車前面板１１には、駆動スピンドル２０が貫通する中心部から予め定められた長さだけ側方に離隔した位置に、第１連動板５０の出入りのための開口１１ａが設けられる。第１連動板５０において、移動板４０に近い前端部は、台車前面板１１の開口１１ａからの円滑な出入りのために、垂直に立てられた一字状の板部で形成される。これに対して、第１連動板５０の残りの長さ部分は、第１連動板５０の傾きがなくバランスの取れた進退移動のために、前記垂直に立てられた一字状の板部から水平板部が延長形成されたＬ字状の縦断面を有する。また、第１連動板５０は、前記前端部に形成された垂直に立てられた一字状の板部には、台車前面板１１中の開口１１ａの周辺部に係止されて第１連動板５０の移動を制限する係止部５０ａが、前記一字状の板部の上部から水平方向に延長して設けられる。
【００４９】
第１連動板５０の安定した出入りをガイドするために、移送台車１０の台車底面１０ｂ上には、予め定められた長さだけ第１連動板５０の出入り方向、すなわち移送台車１０の前後方向にガイドレール５１が固定設置される。ガイドレール５１は、一実施形態によれば、下部が開放された略逆Ｕ字状の板材で構成されてもよい。ガイドレール５１の後端部には、ガイドレール５１から第２連動板６０の先端部６０ｂ側に延長するように延長板部５１ａが設けられる。
【００５０】
本発明の好ましい実施形態による真空遮断器の接地スイッチ連動装置は、第１連動板５０の後方への移動を制限するためのストッパ手段をさらに含む。前記ストッパ手段は、前記真空遮断器の本体を引き込み位置又は引き出し位置に移送可能に支持する移送台車１０の台車前面板１１中の第１連動板５０が出入りする開口１１ａの周辺部と、第１連動板５０から延長形成され、開口１１ａの周辺部に係止されて第１連動板５０の移動を制限する係止部５０ａとを含む。
【００５１】
第２連動板６０は、接地スイッチ８８（図４及び図５を参照）が接地位置にあるときに第１連動板５０を前記操作ハンドル接続不許容位置で拘束する位置（すなわち、第１連動板５０が移送台車１０から引き出されて後退移動した状態で拘束する位置）と、接地スイッチ８８が接地位置にないときに第１連動板５０の拘束を解放する位置（すなわち、第１連動板５０が移送台車１０内に引き込まれて前進移動できるように解放した位置）とに移動可能である。このような第２連動板６０の拘束位置又は解放位置への移動は、第２連動板６０が移送台車１０上で左右方向に移動することにより達成される。これに対して、第１連動板５０は、移送台車１０上で前後方向に移動可能である。第２連動板６０は、好ましい実施形態によれば、略薄板状の金属棒部材で構成される。第２連動板６０は、移送台車１０の側壁に形成された出入口から出入りする。第２連動板６０は、平常時に移送台車１０の側壁から突出するように位置する先端部６０ｂを有する。当該先端部６０ｂは、連動操作機構（９１、９２、９３、９４、９５、９６、９７）（図４及び図５を参照）中の連動レバー９６の加圧板部９６ｂ（図４及び図５を参照）の板面により加圧されるのに適するように、とがった前面形状を有する。
【００５２】
第２連動板６０と移送台車１０の台車底面１０ｂとの間には、リターンスプリング６２が設置される。当該リターンスプリング６２の一端部は、移送台車１０の台車底面１０ｂに接続されて支持され、他端部は、第２連動板６０に接続されて支持される。第２連動板６０の先端部６０ｂが移送台車１０の側壁から突出するように、リターンスプリング６２は第２連動板６０を付勢する。従って、接地スイッチ８８が接地位置にあるときに連動レバー９６の加圧板部９６ｂの板面による加圧力がなくなると、図３に示すように移送台車１０の内部に進入した第２連動板６０の先端部６０ｂは、リターンスプリング６２の付勢力により、図１及び図２に示すように移送台車１０の側壁から突出した位置に復帰する。
本発明の好ましい実施形態による真空遮断器の接地スイッチ連動装置は、第２連動板６０の移動をガイドするガイド機構（６１、６０ａ、５１、５１ａ、６０ｃ）をさらに含む。
【００５３】
前記拘束位置と前記解放位置とに移動する際、ガイド機構（６１、６０ａ、５１、５１ａ、６０ｃ）は、第２連動板６０を左右方向に水平に移動するようにガイドする。ガイド機構（６１、６０ａ、５１、５１ａ、６０ｃ）は、移送台車１０の台車底面１０ｂに固定されるガイド突部６１と、第２連動板６０に備えられるガイド長孔部６０ａとを含む。ガイド長孔部６０ａは、ガイド突部６１を収容して第２連動板６０の移動を制限するように設けられる。さらに、ガイド機構（６１、６０ａ、５１、５１ａ、６０ｃ）は、第１連動板５０の移動をガイドするガイドレール５１と、ガイドレール５１から延長形成される延長板部５１ａと、第２連動板６０から延長形成されて延長板部５１ａの表面上をスライドするスライド延長部６０ｃとを含む。
【００５４】
図１〜図３を参照すると、移動板４０の後方には、スペーサピン４６により決定される離隔距離だけ移動板４０から後方に離隔して第１支持板４２が設置される。第１支持板４２は、１対のスペーサピン４６により移動板４０と接続されるため、移動板４０の前後方向の移動に伴って移動する。
【００５５】
第１支持板４２の後方には、第２支持板４３が位置固定されて設置される。１対のスプリング支持ピン４４は、頭部が移動板４０の前面に支持され、当該頭部から移動板４０と第１支持板４２を貫通して延長された後端部が第２支持板４３に接続される。従って、移動板４０、第１支持板４２、及び第２支持板４３は、１対のスプリング支持ピン４４により互いに接続される。第１支持板４２と第２支持板４３間のスプリング支持ピン４４の外周面には、復帰スプリング４５が設置される。復帰スプリング４５は、前記操作ハンドル接続許容位置になるように移動板４０を付勢する。
【００５６】
以下、前述のように構成される本発明による真空遮断器の接地スイッチ連動装置の動作を図１〜図５を参照して説明する。
【００５７】
まず、図１に示すように、移送台車１０がガーダアセンブリ１に接近するように引き出された状態（このとき、移送台車１０により支持される遮断器本体はクレードルの端子から分離されて回路から分離された状態）であり、かつ図４に示すように、連動操作機構（９１、９２、９３、９４、９５、９６、９７）中の連動レバー９６の加圧板部９６ｂが第２連動板６０から分離された状態を仮定する。
【００５８】
このとき、第１連動板５０が第２連動板６０を解放するため、操作ハンドル７０を移動板４０の接続口４０ａに挿入して加圧すると、復帰スプリング４５が圧縮されることにより、図２の状態のように移動板４０が後方に移動（後退）する。従って、第１支持板４２が第２支持板４３に当接することにより、第２支持板４３の中央ハンドル挿入口まで延長された駆動スピンドル２０のハンドル接続端部が操作ハンドル７０の先端部７０ａと接続される。
【００５９】
この状態で、操作ハンドル７０を一方向、例えば反時計方向に回動操作すると、駆動スピンドル２０が反時計方向に回動し、ナットアセンブリ３０は固定され、駆動スピンドル２０がガーダアセンブリ１側、すなわち前方に引き出される。従って、移送台車１０は、反対方向、すなわちガーダアセンブリ１から遠ざかる方向に移動（後退）する。つまり、ガーダアセンブリ１から遠ざかる方向は前記回路に接続されたクレードルの端子に接近する方向であるので、移送台車１０の後退移動により、前記遮断器本体の端子は前記クレードルの端子に接続され、電源と負荷間の回路を電気的に接続できる投入可能位置となる。ここで、投入可能位置という表現を用いたのは、前記投入可能位置で、さらに前記遮断器本体内の相毎に設けられる真空インタラプタの可動接点と固定接点とを接触状態にしなければ、回路の電源側と負荷側とが本発明による真空遮断器を介して電気的に接続される投入状態とならないからである。
【００６０】
一方、図３に示すように、移送台車１０がガーダアセンブリ１に接近するように引き出された状態（このとき、移送台車１０により支持される遮断器本体はクレードルの端子から分離されて回路から分離された状態）で、使用者が接地スイッチ８８を接地位置に操作しようとする場合の動作は次の通りである。
【００６１】
図５に示すように、使用者が接地スイッチ操作盤８０の前面板から露出するように設置された連動板操作レバー９１を反時計方向に回動操作すると、連動板操作レバー９１の反時計方向の回動操作力により操作軸９３が反時計方向に回動する。これにより、レバー板９４が図４のように横になっていた状態から図５のように直立した状態に反時計方向に回動して、連動レバー９６の底面９６ａを押す。これにより、連動レバー９６も回動軸９７を中心に反時計方向に回動する。連動レバー９６の反時計方向の回動により、連動レバー９６の上部に設けられた加圧板部９６ｂが図の左に側方移動して、移動経路に対向するように位置する第２連動板６０の先端部６０ｂを加圧して押す。
【００６２】
これにより、第２連動板６０は、図３に示すように、ガイド機構（６１、６０ａ、５１、５１ａ、６０ｃ）、すなわちガイド突部６１、ガイド長孔部６０ａ、ガイドレール５１、延長板部５１ａ、及びスライド延長部６０ｃによりガイドされ、側方、すなわち図の左方向に移動する。
【００６３】
このとき、第２連動板６０は、ガイド長孔部６０ａの長さだけ左に側方移動し、この側方移動により、第２連動板６０中の移送台車１０の内部側端部は、第１連動板５０を図１に示すように前方側に引き出された状態で拘束する。
【００６４】
従って、第１支持板４２と第２支持板４３とが長さｄ１だけ離隔した状態に維持される。
【００６５】
つまり、図３に示すように操作ハンドル７０を移動板４０の接続口４０ａに挿入して加圧しても、第１連動板５０の係止部５０ａが台車前面板１１中の開口１１ａの周辺部に係止されて第１連動板５０の後方移動を停止させるため、第１支持板４２と第２支持板４３とが長さｄ１だけ離隔した状態に維持される。
【００６６】
この状態では、操作ハンドル７０を移動板４０の接続口４０ａに挿入しても、操作ハンドル７０の先端部７０ａが第２支持板４３まで延長された駆動スピンドル２０のハンドル接続端部に接続されない。従って、駆動スピンドル２０の回動操作が不可能になる。移送台車１０及びこれに支持される遮断器本体の後方移動が不可能になることにより、真空遮断器の投入位置操作は根本的に不可能になる。
【００６７】
また、図５に示すように、使用者が接地スイッチ操作盤８０の前面板から露出するように設置された連動板操作レバー９１を反時計方向に回動操作すると、操作レバー９１に支持されたドア板９２が反時計方向に回動して開放位置となり、接地スイッチ操作盤８０の前面板から接地操作軸８１のハンドル接続端部８１ａが露出する。このとき、操作ハンドルをハンドル接続端部８１ａに接続して接地操作軸８１を回動駆動することにより、接地操作軸８１の回動力がカム８２、ロッド８３、第１アーム８５、主軸８６、第２アーム８７を経由して接地スイッチ８８を回動駆動する。これにより、接地スイッチ８８が接地部（図示せず）に接触して回路を接地する。
【符号の説明】
【００６８】
１    ガーダアセンブリ
１０    移送台車
１０ａ    車輪
１０ｂ    台車底面
１１    台車前面板
１１ａ    開口
２０    駆動スピンドル
２１    加圧板
３０    ナットアセンブリ
４０    移動板
４０ａ    接続口
４１    接続ねじ
４２    第１支持板
４３    第２支持板
４４    スプリング支持ピン
４５    復帰スプリング
４６    スペーサピン
５０    第１連動板
５１    ガイドレール
５１ａ    延長板部
６０    第２連動板
６０ａ    ガイド長孔部
６０ｂ    先端部
６０ｃ    スライド延長部
６１    ガイド突部
６２    リターンスプリング
７０    操作ハンドル
７０ａ    先端部
８０    接地スイッチ操作盤
８０ａ    操作ハンドル接続口
８１    接地操作軸
８１ａ    ハンドル接続端部
８２    カム
８３    ロッド
８４    リンクピン
８５    第１アーム
８６    主軸
８７    第２アーム
８８    接地スイッチ
９１    連動板操作レバー
９２    ドア板
９３    操作軸
９４    レバー板
９５    支持板
９５ａ    第１ストッパ部
９５ｂ    第２ストッパ部
９６    連動レバー
９６ａ    底面
９６ｂ    加圧板部
９７    回動軸
【図１】
2011135773.tif 000003
【図２】
2011135773.tif 000004
【図３】
2011135773.tif 000005
【図４】
2011135773.tif 000006
【図５】
2011135773.tif 000007